(57)【要約】【課題】表示装置及びその駆動方法を提供すること。【解決手段】表示装置は、表示パネル、パネル駆動部、光源部及び光源駆動部を含む。表示パネルは、第１主要色を有する第１サブピクセル、第２主要色を有する第２サブピクセル、及び透明サブピクセルを含む。パネル駆動部は、第１サブピクセル、第２サブピクセル、及び透明サブピクセルの階調データを設定する。光源部は、表示パネルに光を提供し、互いに異なる色を有する第１光源及び第２光源を含む。光源駆動部は、第１サブフレーム、第２サブフレーム及び第３サブフレームを含む第１フレームにおいて、第１サブフレームの間に第１光源をターンオンさせ、第２サブフレームの間に第２光源をターンオンさせ、第３サブフレームの間に第１光源をターンオンさせる。【選択図】図２
2014109779.tif 000002
【特許請求の範囲】
【請求項１】
第１主要色を有する第１サブピクセル、第２主要色を有する第２サブピクセル及び透明サブピクセルを含む表示パネルと、
前記第１サブピクセル、前記第２サブピクセル及び前記透明サブピクセルの階調データを設定するパネル駆動部と、
前記表示パネルに光を提供し、互いに異なる色を有する第１光源及び第２光源を含む光源部と、
第１サブフレーム、第２サブフレーム、及び第３サブフレームを含む第１フレームにおいて、前記第１サブフレームの間に前記第１光源をターンオンさせ、前記第２サブフレームの間に前記第２光源をターンオンさせ、前記第３サブフレームの間に前記第１光源をターンオンさせる光源駆動部と、を含むことを特徴とする表示装置。
【請求項２】
第２フレームは、第４サブフレーム、第５サブフレーム、及び第６サブフレームを含み、
前記光源駆動部は、前記第４サブフレームの間に前記第２光源をターンオンさせ、前記第５サブフレームの間に前記第１光源をターンオンさせ、前記第６サブフレームの間に前記第２光源をターンオンさせることを特徴とする請求項１に記載の表示装置。
【請求項３】
同一階調に対して、前記第１及び第３サブフレームの前記第１光源の強度は、前記第５サブフレームの前記第１光源の強度より小さいことを特徴とする請求項２に記載の表示装置。
【請求項４】
同一階調に対して、前記第４及び第６サブフレームの前記第２光源の強度は、前記第２サブフレームの前記第２光源の強度より小さいことを特徴とする請求項３に記載の表示装置。
【請求項５】
同一階調に対して、前記第１及び第３サブフレームの前記第１光源の強度は、前記第５サブフレームの前記第１光源の強度の半分であることを特徴とする請求項３に記載の表示装置。
【請求項６】
第３フレームは、第７サブフレーム、第８サブフレーム及び第９サブフレームを含み、
第４フレームは、第１０サブフレーム、第１１サブフレーム及び第１２サブフレームを含み、
前記光源駆動部は、前記第７サブフレームの間に前記第１光源をターンオンさせ、前記第８サブフレームの間に前記第２光源をターンオンさせ、前記第９サブフレームの間に前記第１光源をターンオンさせ、前記第１０サブフレームの間に前記第２光源をターンオンさせ、前記第１１サブフレームの間に前記第１光源をターンオンさせ、前記第１２サブフレームの間に前記第２光源をターンオンさせ、
同一階調に対して、前記第１、第５及び第７サブフレームには第１強度で前記第１光源をターンオンさせ、前記第３、第９及び第１１サブフレームには前記第１強度より大きい第２強度で前記第１光源をターンオンさせることを特徴とする請求項２に記載の表示装置。
【請求項７】
同一階調に対して、前記第４、第８及び第１０サブフレームには第３強度で前記第２光源をターンオンさせ、前記第２、第６及び第１２サブフレームには前記第３強度より大きい第４強度で前記第２光源をターンオンさせることを特徴とする請求項６に記載の表示装置。
【請求項８】
同一階調に対して、前記第１強度は、前記第２強度の１／３であることを特徴とする請求項６に記載の表示装置。
【請求項９】
前記表示パネルは１８０Ｈｚで画像を表示し、前記光源駆動部は前記第１及び第２光源を１２０Ｈｚ周期で交互にターンオンさせることを特徴とする請求項１に記載の表示装置。
【請求項１０】
前記第１サブフレーム内で前記第１光源がターンオンされる時期は、前記第２サブフレーム内で前記第２光源がターンオンされる時期に比べて相対的に遅れることを特徴とする請求項１に記載の表示装置。
【請求項１１】
前記第３サブフレーム内で前記第１光源がターンオンされる時期は、前記第２サブフレーム内で前記第２光源がターンオンされる時期に比べて相対的に早まることを特徴とする請求項１に記載の表示装置。
【請求項１２】
前記第１光源は、前記第１主要色及び前記第２主要色の混合色の光を発生し、前記第２光源は、第３主要色の光を発生することを特徴とする請求項１に記載の表示装置。
【請求項１３】
前記混合色は黄色（ｙｅｌｌｏｗ）であり、前記第３主要色は青色であることを特徴とする請求項１２に記載の表示装置。
【請求項１４】
前記混合色はマゼンタ色（ｍａｇｅｎｔａ）であり、前記第３主要色は緑色であることを特徴とする請求項１２に記載の表示装置。
【請求項１５】
前記混合色はシアン色（ｃｙａｎ）であり、前記第３主要色は赤色であることを特徴とする請求項１２に記載の表示装置。
【請求項１６】
前記第１光源は白色光を発生し、前記第２光源は第３主要色の光を発生することを特徴とする請求項１に記載の表示装置。
【発明の詳細な説明】
【技術分野】
【０００１】
本発明は、表示装置及びそれを駆動する方法に関し、より詳細には消費電力を減少させ、表示品質を向上させることができる表示装置及びそれを駆動する方法に関する。
【背景技術】
【０００２】
一般的に、液晶表示装置は、液晶の光透過率を利用して画像を表示する液晶表示パネル及び液晶表示パネルに光を提供する光源モジュールを含む。例えば、光源モジュールは、バックライトアセンブリである。
【０００３】
液晶表示パネルは、画素電極及び画素電極と電気的に接続された薄膜トランジスタを有する第１基板、共通電極及びカラーフィルタを有する第２基板、並びに、第１基板と第２基板との間に介在した液晶層を含む。
【０００４】
光源モジュールは、液晶表示パネルに画像を表示するのに必要な光を発生させる光源を含む。例えば、光源は、冷陰極蛍光ランプ（ｃｏｌｄ  ｃａｔｈｏｄｅ  ｆｌｕｏｒｅｓｃｅｎｔ  ｌａｍｐ：ＣＣＦＬ）、外部電極蛍光ランプ（ｅｘｔｅｒｎａｌ  ｅｌｅｃｔｒｏｄｅ  ｆｌｕｏｒｅｓｃｅｎｔ  ｌａｍｐ：ＥＥＦＬ）、平板蛍光ランプ（ｆｌａｔ  ｆｌｕｏｒｅｓｃｅｎｔ  ｌａｍｐ：ＦＦＬ）、発光ダイオード（ｌｉｇｈｔ  ｅｍｉｔｔｉｎｇ  ｄｉｏｄｅ：ＬＥＤ）である。
【０００５】
一般的に、光源は、白色光を発生させ、カラーフィルタは白色光のうち一部のカラーの光のみ通過させる。白色光がカラーフィルタを通過しながらエネルギーの損失が発生する。従って、同じ輝度の光を発生するために消費電力が増加する問題点がある。
【先行技術文献】
【特許文献】
【０００６】
【特許文献１】韓国特許出願公開第２００７−０１１５１８４号明細書
【特許文献２】韓国特許出願公開第２００８−０００２３０１号明細書
【特許文献３】米国特許７，８９３，９１５号明細書
【特許文献４】韓国特許出願公開第２００７−００９０４２７号明細書
【特許文献５】韓国特許出願公開第２００７−０００２４５２号明細書
【特許文献６】米国特許出願公開第２００７／０２６８２３１号明細書
【発明の概要】
【発明が解決しようとする課題】
【０００７】
本発明は上記問題点に鑑みてなされたものであって、本発明の目的は、繰り返してターンオン及びターンオフされる互いに異なる色の光源を利用して、消費電力を減少させ、表示品質を向上させることができる表示装置を提供することにある。
【０００８】
本発明の他の目的は、表示装置を駆動するための駆動方法を提供することにある。
【課題を解決するための手段】
【０００９】
上述の本発明の目的を実現するための一実施形態に係る表示装置は、表示パネル、パネル駆動部、光源部、及び光源駆動部を含む。表示パネルは、第１主要色を有する第１サブピクセル、第２主要色を有する第２サブピクセル、及び透明サブピクセルを含む。パネル駆動部は、第１サブピクセル、第２サブピクセル、及び透明サブピクセルの階調データを設定する。光源部は、表示パネルに光を提供し、互いに異なる色を有する第１光源及び第２光源を含む。光源駆動部は、第１サブフレーム、第２サブフレーム、及び第３サブフレームを含む第１フレームにおいて、第１サブフレームの間に第１光源をターンオンさせ、第２サブフレームの間に第２光源をターンオンさせ、第３サブフレームの間に第１光源をターンオンさせる。
【００１０】
上述の本発明の他の目的を実現するための一実施形態に係る表示装置の駆動方法は、第１主要色を有する第１サブピクセル、第２主要色を有する第２サブピクセル、及び透明サブピクセルの階調データを設定する段階、及び、第１サブフレームの間に第１光源をターンオンさせ、第２サブフレームの間に第１光源と異なる色を有する第２光源をターンオンさせ、第３サブフレームの間に第１光源をターンオンさせる段階を含む。
【００１１】
上述の本発明の他の目的を実現するための一実施形態に係る表示装置は、表示パネル、パネル駆動部、光源部、及び光源駆動部を含む。表示パネルは、第１主要色を有する第１サブピクセル、第２主要色を有する第２サブピクセル、及び透明サブピクセルを含む。パネル駆動部は、１つの入力画像データに対応する１つのフレームが２つのサブフレームからなる時、第１及び第２サブピクセルに、第１サブフレーム及び第２サブフレームの間に同じ階調データを設定する。光源部は、表示パネルに光を提供し、互いに異なる色を有する第１光源及び第２光源を含む。光源駆動部は、第１サブフレームの間に第１光源をターンオンさせ、第２サブフレームの間に第２光源をターンオンさせる。
【００１２】
上述の本発明の他の目的を実現するための一実施形態に係る表示装置の駆動方法は、１つの入力画像データに対応する１つのフレームが２つのサブフレームからなる時、第１サブフレーム及び第２サブフレームの間に透明サブピクセルの階調データを設定する段階、第１主要色を有する第１サブピクセル及び第２主要色を有する第２サブピクセルに、第１サブフレーム及び第２サブフレームの間に同じ階調データを設定する段階、第１サブフレームの間に第１光源をターンオンさせる段階、及び、第２サブフレームの間に第２光源をターンオンさせる段階を含む。
【００１３】
上述の本発明の他の目的を実現するための一実施形態に係る表示装置は、表示パネル、パネル駆動部、光源部、及び光源駆動部を含む。表示パネルは、第１主要色を有する第１サブピクセル、第２主要色を有する第２サブピクセル、及び透明サブピクセルを含む。パネル駆動部は、第１サブピクセル、第２サブピクセル、及び透明サブピクセルの階調データを設定する。光源部は、表示パネルに光を提供する。光源部は、互いに異なる色を有する第１光源及び第２光源を含む。光源駆動部は、第１光源及び第２光源のうち、少なくとも１つを繰り返してターンオン及びターンオフさせる。
【００１４】
上述の本発明の他の目的を実現するための一実施形態に係る表示装置の駆動方法は、第１主要色を有する第１サブピクセル、第２主要色を有する第２サブピクセル、及び透明サブピクセルの階調データを設定する段階、第１光源をターンオンさせる段階、及び、第１光源と異なる色を有する第２光源をターンオンさせる段階を含む。第１及び第２光源のうち、少なくとも１つは繰り返してターンオン及びターンオフされる。
【発明の効果】
【００１５】
このような表示装置及びその駆動方法によると、互いに異なる色を有する光源を繰り返してターンオン及びターンオフさせることによって、消費電力を減少させることができ、表示品質を向上させることができる。
【図面の簡単な説明】
【００１６】
【図１】本発明の一実施形態に係る表示装置を示すブロック図である。
【図２】図１の表示パネル及び光源部を示す断面図である。
【図３】第１サブフレームにおいて図１の表示パネル及び光源部を示す断面図である。
【図４】第２サブフレームにおいて図１の表示パネル及び光源部を示す断面図である。
【図５】図１の表示装置を駆動する方法を示す概念図である。
【図６】図１の表示装置を駆動する方法を示す概念図である。
【図７】図１の表示装置を駆動する方法を示す概念図である。
【図８】図５〜図７の表示装置駆動方法によって、図１の表示パネル上に視認される画像を示す概念図である。
【図９】図５〜図７の表示装置駆動方法によって、図１の表示パネル上に視認される画像を示す概念図である。
【図１０】本発明の他の実施形態に係る図１の表示装置を駆動する方法を示す概念図である。
【図１１】本発明のまた他の実施形態に係る図１の表示装置を駆動する方法を示す概念図である。
【図１２】本発明のまた他の実施形態に係る図１の表示装置を駆動する方法を示す概念図である。
【図１３】本発明のまた他の実施形態に係る図１の表示装置を駆動する方法を示す概念図である。
【図１４】本発明のまた他の実施形態に係る表示装置の表示パネル及び光源部を示す断面図である。
【図１５】図１４の表示装置を駆動する方法を示す概念図である。
【図１６】本発明のまた他の実施形態に係る図１４の表示装置を駆動する方法を示す概念図である。
【図１７】本発明のまた他の実施形態に係る図１４の表示装置を駆動する方法を示す概念図である。
【図１８】本発明のまた他の実施形態に係る表示装置の表示パネル及び光源部を示す断面図である。
【図１９】図１８の表示装置を駆動する方法を示す概念図である。
【図２０】本発明のまた他の実施形態に係る図１８の表示装置を駆動する方法を示す概念図である。
【図２１】本発明のまた他の実施形態に係る図１８の表示装置を駆動する方法を示す概念図である。
【図２２】本発明のまた他の実施形態に係る表示装置の表示パネル及び光源部を示す断面図である。
【図２３】図２２の表示装置を駆動する方法を示す概念図である。
【図２４】図２３の表示装置駆動方法によって図２２の表示パネル上に視認される画像を示す概念図である。
【図２５】図２３の表示装置駆動方法によって図２２の表示パネル上に視認される画像を示す概念図である。
【図２６】本発明のまた他の実施形態に係る図２２の表示装置を駆動する方法を示す概念図である。
【図２７】本発明のまた他の実施形態に係る図２２の表示装置を駆動する方法を示す概念図である。
【図２８】本発明のまた他の実施形態に係る表示装置の表示パネル及び光源部を示す断面図である。
【図２９】図２８の表示装置を駆動する方法を示す概念図である。
【図３０】本発明のまた他の実施形態に係る図２８の表示装置を駆動する方法を示す概念図である。
【図３１】本発明のまた他の実施形態に係る図２８の表示装置を駆動する方法を示す概念図である。
【図３２】本発明のまた他の実施形態に係る表示装置の表示パネル及び光源部を示す断面図である。
【図３３】図３２の表示装置を駆動する方法を示す概念図である。
【図３４】本発明のまた他の実施形態に係る図３２の表示装置を駆動する方法を示す概念図である。
【図３５】本発明のまた他の実施形態に係る図３２の表示装置を駆動する方法を示す概念図である。
【図３６】第１サブフレームにおいて、本発明のまた他の実施形態に係る表示装置の表示パネル及び光源部を示す断面図である。
【図３７】第２サブフレームにおいて、図３６の表示パネル及び光源部を示す断面図である。
【図３８】第１サブフレームにおいて、本発明のまた他の実施形態に係る表示装置の表示パネル及び光源部を示す断面図である。
【図３９】第２サブフレームにおいて、図３８の表示パネル及び光源部を示す断面図である。
【発明を実施するための形態】
【００１７】
以下、図面を参照して本発明の望ましい実施形態をより詳細に説明する。
図１は本発明の一実施形態に係る表示装置を示すブロック図である。図２は図１の表示パネル及び光源部を示す断面図である。図３は第１サブフレームにおいて、図１の表示パネル及び光源部を示す断面図である。図４は第２サブフレームにおいて、図１の表示パネル及び光源部を示す断面図である。
【００１８】
図１、図２、図３及び図４を参照すると、表示装置は、表示パネル１００、光源部２００、パネル駆動部３００、及び光源駆動部４００を含む。
【００１９】
表示パネル１００は、画像を表示する。表示パネル１００は第１基板１１０、第２基板１２０、液晶層１３０を含む。
【００２０】
表示パネル１００は、第１主要色を有する第１サブピクセルＲ、第２主要色を有する第２サブピクセルＧ、及び透明サブピクセルＴを含む。
【００２１】
本実施形態において、第１主要色は赤色であり、第１サブピクセルは赤色サブピクセルＲであってもよい。第２主要色は緑色であり、第２サブピクセルは緑色サブピクセルＧであってもよい。
【００２２】
第１基板１１０は、トランジスタが形成されている薄膜トランジスタ基板であるとよい。第１基板１１０には、第１方向に延伸する複数のゲートライン及び第１方向と交差する第２方向に延伸する複数のデータラインが配置されるとよい。第１基板１１０は、画素電極を含むとよい。
【００２３】
第２基板１２０は、第１基板１１０と向かい合うように配置される。第２基板１２０は、カラーフィルタが形成されているカラーフィルタ基板であるとよい。第２基板１２０は共通電極を含むとよい。
【００２４】
第１サブピクセルＲは、第２基板１２０に配置される赤色カラーフィルタによって定義されるとよい。第２サブピクセルＧは、第２基板１２０に配置される緑色カラーフィルタによって定義されるとよい。透明サブピクセルＴは、第２基板１２０に配置される透明カラーフィルタによって定義されるとよい。例えば、透明カラーフィルタは、実質的にカラーフィルタが形成されていない空き空間であってもよい。カラーフィルタの間には遮光パターンＢＭが配置されてもよい。
【００２５】
液晶層１３０は、第１基板１１０及び第２基板１２０の間に配置される。
【００２６】
本実施形態において、カラーフィルタは、第２基板１２０に配置されると説明したが、これに限定されない。例えば、カラーフィルタは、第１基板１１０に配置されるカラーフィルタオンアレイ構造であってもよい。
【００２７】
パネル駆動部３００は、表示パネル１００に接続されて、表示パネルを駆動する。パネル駆動部３００は、タイミングコントローラ、ゲート駆動部及びデータ駆動部を含んでもよい。
【００２８】
タイミングコントローラは、ゲート駆動部の駆動タイミングを制御する第１制御信号をゲート駆動部に伝達する。タイミングコントローラは、データ駆動部の駆動タイミングを制御する第２制御信号をデータ駆動部に伝達する。ゲート駆動部は、表示パネル１００のゲートラインにゲート信号を伝達する。データ駆動部は、表示パネル１００のデータラインにデータ信号を伝達する。
【００２９】
パネル駆動部３００は、第１サブピクセルＲ、第２サブピクセルＧ及び透明サブピクセルＴの階調データを設定する。
【００３０】
パネル駆動部３００は、光源駆動部４００の駆動タイミングを制御する光源制御信号を光源駆動部４００に伝達する。パネル駆動部３００は光源駆動部４００と同期できる。
【００３１】
光源部２００は、互いに異なる色を有する第１光源２１０及び第２光源２２０を含む。光源部２００は、導光板２３０をさらに含んでもよい。光源部２００は、光を発生して表示パネル１００に提供する。
【００３２】
第１光源２１０は、第１主要色及び第２主要色の混合色の光を発生する。本実施形態において、第１主要色は赤色であり、第２主要色は緑色であるので、混合色は黄色（ｙｅｌｌｏｗ）である。
【００３３】
第２光源２２０は、第３主要色の光を発生する。第３主要色は青色であるとよい。
【００３４】
第１、第２及び第３主要色が混色されると白色を表す。本実施形態において、第１、第２及び第３主要色はそれぞれ赤色、緑色、青色であることを例示したが、これに限定されない。
【００３５】
本発明の実施形態において、第１光源２１０は黄色を発生する発光ダイオード（ｌｉｇｈｔ  ｅｍｉｔｔｉｎｇ  ｄｉｏｄｅ：ＬＥＤ）チップであるとよい。第２光源２２０は青色を発生するＬＥＤチップであるとよい。これとは異なって、第１光源２１０は、青色ＬＥＤチップ及び黄色蛍光体を含んでもよい。
【００３６】
導光板２３０は、第１及び第２光源２１０、２２０から発生した光を表示パネル１００に導く。
【００３７】
本実施形態において、第１光源２１０は導光板２３０の第１側に配置され、第２光源２２０は、導光板の第２側に配置されるとよい。
【００３８】
これとは異なって、第１及び第２光源２１０、２２０は、導光板２３０の第１側に共に配置されてもよい。
【００３９】
例えば、第１光源２１０及び第２光源２２０は、導光板２３０の第１側で２つの層に配置されてもよい。例えば、第１光源２１０は、導光板２３０の第１側で第１階に配置され、第２光源２２０は、導光板２３０の第１側で第１階上の第２階に配置されてもよい。例えば、第１及び第２光源２１０、２２０は、同じ層から交互に配置されてもよい。例えば、第１及び第２光源２１０、２２０は、第１階に交互に配置され、第１及び第２光源２１０、２２０は、第２階に交互に配置されてもよい。この時、第１階の第１光源２１０の上部には、第２階の第２光源２２０が配置されるとよい。第１階の第２光源２２０の上部には第２階の第１光源２１０が配置されるとよい。
【００４０】
これとは異なって、第１光源２１０及び第２光源２２０は、１つのパッケージ内に形成されてもよい。パッケージは発光ダイオード及び蛍光体を含んでもよい。例えば、発光ダイオードは、第３主要色を有してもよい。蛍光体は混合色を有してもよい。
【００４１】
例えば、パッケージは、第１収納領域及び第２収納領域を分ける隔壁を含んでもよい。第１光源２１０は、第１収納空間の下面に配置された第３主要色の第１発光ダイオード及び第１発光ダイオード上で第１収納空間内に満たされた混合色の蛍光体によって定義され、第２光源２２０は、第２収納空間の下面に配置された第３主要色の第２発光ダイオードによって定義されてもよい。第２収納空間は、透明レジンで埋め立てられてもよい。
【００４２】
本発明の光源部２００は、導光板２３０及び導光板２３０の側方に配置される第１及び第２光源２１０、２２０を含むエッジ型であることを示したが、これに限定されず、光源部２００は、表示パネル１００の下面の全面的に複数の光源を含む直下型であってもよい。
【００４３】
本発明の表示装置は、液晶表示装置であることを例示したが、これに限定されない。例えば、本発明の表示装置は、有機発光ダイオード表示装置（ｏｒｇａｎｉｃ  ｌｉｇｈｔ  ｅｍｉｔｔｉｎｇ  ｄｉｏｄｅ：ＯＬＥＤ）であってもよい。
【００４４】
光源駆動部４００は、光源部２００に接続されて光源部２００を駆動する。光源駆動部４００は第１光源２１０及び第２光源２２０のうち、少なくとも１つを繰り返してターンオン及びターンオフさせる。
【００４５】
本実施形態において、光源駆動部４００は、第１光源２１０及び第２光源２２０を交互にターンオンさせることができる。例えば、第１サブフレームに第１光源２１０がターンオンされ、第２光源２２０はターンオフされる。第２サブフレームに第１光源２１０がターンオフされ、第２光源２２０がターンオンされる。
【００４６】
光源駆動部４００が光源部３００を駆動する方法に対しては、図５〜図８を参照して詳細に後述する。
【００４７】
第１サブフレームの時間間隔及び第２サブフレームの時間間隔は、同一であってもよい。これとは異なり、第１サブフレームの時間間隔及び第２サブフレームの時間間隔は互いに相異なってもよい。
【００４８】
パネル駆動部３００は、第１及び第２サブピクセルＲ、Ｇ、並びに透明サブピクセルＴの階調データを設定するサブピクセルレンダリングを遂行する。
【００４９】
図５〜図７は図１の表示装置を駆動する方法を示す概念図である。
図１〜図７を参照すると、１つの入力画像データに対応する１つのフレームは、３つのサブフレームからなる。第１フレームＦＲＡＭＥ１は、第１サブフレームＳＦ１、第２サブフレームＳＦ２及び第３サブフレームＳＦ３を含む。第２フレームＦＲＡＭＥ２は、第４サブフレームＳＦ４、第５サブフレームＳＦ５及び第６サブフレームＳＦ６を含む。第３フレームＦＲＡＭＥ３は、第７サブフレームＳＦ７、第８サブフレームＳＦ８及び第９サブフレームＳＦ９を含む。第４フレームＦＲＡＭＥ４は、第１０サブフレームＳＦ１０、第１１サブフレームＳＦ１１及び第１２サブフレームＳＦ１２を含む。
【００５０】
本実施形態において、入力画像データが６０Ｈｚで入力されると仮定すると、３つのサブフレームで分割駆動される表示パネル１００は、１８０Ｈｚで画像を表示する。光源駆動部４００は、第１及び第２光源２１０、２２０を２つのサブフレーム単位で交互にターンオンさせるので、光源駆動部４００が第１及び第２光源２１０、２２０を交互にターンオンさせる周期は１２０Ｈｚである。
【００５１】
本実施形態において、光源部２００の駆動方式は、２つのフレーム単位で繰り返される。第１フレームＦＲＡＭＥ１及び第３フレームＦＲＡＭＥ３では、各サブフレームに対応して第１光源２１０、第２光源２２０及び第１光源２１０順でターンオンされる。第２フレームＦＲＡＭＥ２及び第４フレームＦＲＡＭＥ４では各サブフレームに対応して第２光源２２０、第１光源２１０及び第２光源２２０順でターンオンされる。
【００５２】
光源駆動部４００は、第１サブフレームＳＦ１の間に第１光源２１０をターンオンさせ、第２サブフレームＳＦ２の間に第２光源２２０をターンオンさせ、第３サブフレームＳＦ３の間に第１光源２１０をターンオンさせ、第４サブフレームＳＦ４の間に第２光源２２０をターンオンさせ、第５サブフレームＳＦ５の間に第１光源２１０をターンオンさせ、第６サブフレームＳＦ６の間に第２光源２２０をターンオンさせる。
【００５３】
具体的に、光源駆動部４００は、同じ階調に対して第１及び第３サブフレームＳＦ１、ＳＦ３の間に第１光源２１０を第１強度ｙで駆動し、第５サブフレームＳＦ５の間に第１光源２１０を第１強度ｙより大きい第２強度Ｙで駆動する。
【００５４】
具体的に、光源駆動部４００は、同じ階調に対して第４及び第６サブフレームＳＦ４、ＳＦ６の間に第２光源２２０を第３強度ｂで駆動し、第２サブフレームＳＦ２の間に第２光源２２０を第３強度ｂより大きい第４強度Ｂで駆動する。
【００５５】
例えば、同じ階調に対して、第１強度ｙは第２強度Ｙの半分であるとよい。第３強度ｂは第４強度Ｂの半分であるとよい。同じ階調に対して、第１フレームＦＲＡＭＥ１での第１光源２１０の光の強度は、２ｙであり、第２フレームＦＲＡＭＥ２での第１光源２１０の光の強度は、Ｙである。第１強度ｙが第２強度Ｙの半分である時、第１フレームＦＲＡＭＥ１及び第２フレームＦＲＡＭＥ２は同じ階調に対して同じ光の強度を有する。
【００５６】
第７サブフレームＳＦ７〜第１２サブフレームＳＦ１２の光源部２００の駆動方式は、第１サブフレームＳＦ１〜第６サブフレームＳＦ６の光源部２００の駆動方式と同一である。
【００５７】
図６〜図７は各サブフレームでの透明サブピクセルＴの液晶応答を第１及び第２光源２１０、２２０の強度とともに示す。図６〜図７では説明の便宜上、第１サブフレームＳＦ１〜第３サブフレームＳＦ３の間に透明サブピクセルＴが同じデータ電圧を有することと仮定する。
【００５８】
第１サブフレームＳＦ１では透明サブピクセルＴに対応する液晶分子が徐々に透過状態に変化している。第２サブフレームＳＦ２では透明サブピクセルＴに対応する液晶分子が透過状態を維持する。第３サブフレームＳＦ３では透明サブピクセルＴに対応する液晶分子が透過状態から非透過状態に変化する。
【００５９】
本実施形態においては、液晶分子の状態が変化する第１サブフレームＳＦ１及び第３サブフレームＳＦ３で第１光源２１０の強度が相対的に低いレベルｙを有するので、第１フレームＦＲＡＭＥ１内で液晶の応答速度にともなう輝度の減少幅を減らすことができる。
【００６０】
また、第１フレームＦＲＡＭＥ１と第２フレームＦＲＡＭＥ２の境界に配置する第３サブフレームＳＦ３と第４サブフレームＳＦ４との間に第１及び第２光源２１０、２２０の強度が相対的に低いレベルｙ、ｂを有するので、色分離現象を減少させることができる。
【００６１】
図８及び図９は、図５〜図７の表示装置駆動方法によって、図１の表示パネル上に視認される画像を示す概念図である。
【００６２】
図８は、白色四角形画像が表示パネル１００上で水平方向に移動する場合を例示する。
【００６３】
図８を参照すると、上段の四角形は第１フレームＦＲＡＭＥ１で表示される白色四角形画像を意味し、下段の四角形は第２フレームＦＲＡＭＥ２で表示される白色四角形画像を意味する。
【００６４】
第１フレームＦＲＡＭＥ１に、第１及び第２光源２１０、２２０は、ｙ、Ｂ、ｙの強度を有し、第１フレームＦＲＡＭＥ２の位置で水平方向に移動した第２フレームＦＲＡＭＥ２に、第１及び第２光源２１０、２２０は、ｂ、Ｙ、ｂの強度を有する。
【００６５】
図８及び図９を参照すると、四角形画像の移動により観察者の視野は自然に四角形画像にしたがって動くことになる。
【００６６】
観察者の視野が第１時点Ｖ１にしたがって移動する時、観察者には互いに補色関係を有する黄色ｙと青色ｂが混ざって見えることになるので、観察者は無彩色を視認することになる。従って、色分離現象を防止することができる。また、第１及び第２光源２１０、２２０は、第１時点Ｖ１で弱い強度ｙ、ｂを有するので、観察者は四角形画像の移動がより滑らかに視認することができる。
【００６７】
観察者の視野が第２時点Ｖ２にしたがって移動する時、観察者には互いに補色関係を有する黄色ｙと青色ｂが混ざって見えることになるので、観察者は無彩色を視認することになる。従って、色分離現象を防止することができる。また、第１及び第２光源２１０、２２０は、第２時点Ｖ２で弱い強度ｙ、ｂを有するので、観察者は四角形画像の移動がより滑らかに視認することができる。
【００６８】
本実施形態によると、表示パネル１００は赤色、緑色及び透明サブピクセルＲ、Ｇ、Ｔを含み、光源部２００は繰り返してターンオン及びターンオフされる黄色及び青色光源ＹＬ、ＢＬを含むので表示装置の消費電力を減少させることができる。また、色分離現象を防止して表示品質を向上させることができる。
【００６９】
図１０は、本発明の他の実施形態に係る図１の表示装置を駆動する方法を示す概念図である。
【００７０】
本実施形態に係る表示装置の駆動方法は、第１サブフレームＳＦ１及び第３サブフレームＳＦ３で第１光源２１０がオンになるタイミングを除けば、図５〜図９による表示装置の駆動方法と実質的に同一であるので、同一または対応する構成要素に対しては同じ図面符号を使って、繰り返される説明は省略する。
【００７１】
図６及び図１０は、各サブフレームでの透明サブピクセルＴの液晶応答を第１及び第２光源２１０、２２０の強度とともに示す。図６及び図１０では説明の便宜上、第１サブフレームＳＦ１〜第３サブフレームＳＦ３の間に透明サブピクセルＴが同じデータ電圧を有することと仮定する。
【００７２】
図６及び図１０を参照すると、第１サブフレームＳＦ１では透明サブピクセルＴに対応する液晶分子が徐々に透過状態に変化している。第２サブフレームＳＦ２では透明サブピクセルＴに対応する液晶分子が透過状態を維持する。第３サブフレームＳＦ３では透明サブピクセルＴに対応する液晶分子が透過状態から非透過状態に変化する。
【００７３】
本実施形態においては、液晶分子の状態が変化する第１サブフレームＳＦ１及び第３サブフレームＳＦ３で第１光源２１０の強度が相対的に低いレベルｙを有するので、第１フレームＦＲＡＭＥ１内で液晶の応答速度にともなう輝度の減少幅を減らすことができる。
【００７４】
本実施形態において、第１サブフレームＳＦ１内で第１光源２１０がターンオンされる時期は、第２サブフレームＳＦ２内で第２光源２２０がターンオンされる時期に比べて相対的に遅れるとよい。即ち、第１サブフレームＳＦ１内で第１光源２１０は第２サブフレームＳＦ２に近接してターンオンされる。この時、第１サブフレームＳＦ１の第１光源２１０のデューティー比は、第２サブフレームＳＦ２の第２光源２２０のデューティー比と同一であってもよい。
【００７５】
本実施形態において、第３サブフレームＳＦ３内で第１光源２１０がターンオンされる時期は、第２サブフレームＳＦ２内で第２光源２２０がターンオンされる時期に比べて相対的に早まるとよい。即ち、第３サブフレームＳＦ３内で第１光源２１０は第２サブフレームＳＦ２に近接してターンオンされる。この時、第３サブフレームＳＦ３の第１光源２１０のデューティー比は、第２サブフレームＳＦ２の第２光源２２０のデューティー比と同一であってもよい。
【００７６】
本実施形態によると、液晶分子の状態が初期に変化する第１サブフレームＳＦ１内では、第１光源２１０のターンオン時期を相対的に遅らせ、液晶分子の状態が後期に変化する第３サブフレームＳＦ３内では第１光源２１０のターンオン時期を相対的に操り上げて第１フレームＦＲＡＭＥ１内で液晶の応答速度にともなう輝度の減少幅をさらに減らすことができる。
【００７７】
図１１及び図１２は、本発明のまた他の実施形態に係る図１の表示装置を駆動する方法を示す概念図である。
【００７８】
本実施形態に係る表示装置の駆動方法は、光源部２００が４つのフレーム単位で繰り返されることを除けば、図５〜図９に係る表示装置の駆動方法と実質的に同一であるので、同一または対応する構成要素に対しては同じ図面符号を使い、繰り返される説明は省略する。
【００７９】
図１〜図４、図１１及び図１２を参照すると、１つの入力画像データに対応する１つのフレームは、３つのサブフレームからなる。第１フレームＦＲＡＭＥ１は、第１サブフレームＳＦ１、第２サブフレームＳＦ２及び第３サブフレームＳＦ３を含む。第２フレームＦＲＡＭＥ２は、第４サブフレームＳＦ４、第５サブフレームＳＦ５及び第６サブフレームＳＦ６を含む。第３フレームＦＲＡＭＥ３は、第７サブフレームＳＦ７、第８サブフレームＳＦ８及び第９サブフレームＳＦ９を含む。第４フレームＦＲＡＭＥ４は、第１０サブフレームＳＦ１０、第１１サブフレームＳＦ１１及び第１２サブフレームＳＦ１２を含む。
【００８０】
本実施形態において、光源部２００の駆動方式は、４つのフレーム単位で繰り返される。第１フレームＦＲＡＭＥ１及び第３フレームＦＲＡＭＥ３では、各サブフレームに対応して第１光源２１０、第２光源２２０及び第１光源２１０順でターンオンされる。第２フレームＦＲＡＭＥ２及び第４フレームＦＲＡＭＥ４では各サブフレームに対応して第２光源２２０、第１光源２１０及び第２光源２２０順でターンオンされる。
【００８１】
光源駆動部４００は、第１サブフレームＳＦ１の間に第１光源２１０をターンオンさせ、第２サブフレームＳＦ２の間に第２光源２２０をターンオンさせ、第３サブフレームＳＦ３の間に第１光源２１０をターンオンさせ、第４サブフレームＳＦ４の間に第２光源２２０をターンオンさせ、第５サブフレームＳＦ５の間に第１光源２１０をターンオンさせ、第６サブフレームＳＦ６の間に第２光源２２０をターンオンさせ、第７サブフレームＳＦ７の間に第１光源２１０をターンオンさせ、第８サブフレームＳＦ８の間に第２光源２２０をターンオンさせ、第９サブフレームＳＦ９の間に第１光源２１０をターンオンさせ、第１０サブフレームＳＦ１０の間に第２光源２２０をターンオンさせ、第１１サブフレームＳＦ１１の間に第１光源２１０をターンオンさせ、第１２サブフレームＳＦ１２の間に第２光源２２０をターンオンさせる。
【００８２】
具体的に、光源駆動部４００は、同じ階調に対して第１サブフレームＳＦ１、第５サブフレームＳＦ５及び第７サブフレームＳＦ７の間に第１光源２１０を第１強度ｙで駆動し、第３サブフレームＳＦ３、第９サブフレームＳＦ９及び第１１サブフレームＳＦ１１の間に第１光源２１０を第１強度ｙより大きい第２強度Ｙで駆動する。
【００８３】
具体的に、光源駆動部４００は、同じ階調に対して第４サブフレームＳＦ４、第８サブフレームＳＦ８及び第１０サブフレームＳＦ１０の間に第２光源２２０を第３強度ｂで駆動し、第２、第６及び第１２サブフレームＳＦ１２の間で第２光源２２０を第３強度ｂより大きい第４強度Ｂで駆動する。
【００８４】
例えば、同じ階調に対して、第１強度ｙは第２強度Ｙの１/３であるとよい。第３強度ｂは第４強度Ｂの１/３であるとよい。
【００８５】
本実施形態においては、各フレーム（ＦＲＡＭＥ１〜ＦＲＡＭＥ４）の境界に配置する第３サブフレームＳＦ３及び第４サブフレームＳＦ４、第６サブフレームＳＦ６及び第７サブフレームＳＦ７、第９サブフレームＳＦ９及び第１０サブフレームＳＦ１０、第１２サブフレームＳＦ１２及び第１３サブフレームＳＦ１３のうちいずれか１つで第１及び第２光源２１０、２２０の強度が相対的に低いレベルｙ、ｂを有するので、色分離現象を減少させることができる。
【００８６】
図１３は、本発明のまた他の実施形態に係る図１の表示装置を駆動する方法を示す概念図である。
【００８７】
本実施形態に係る表示装置の駆動方法は、表示パネル１００の駆動方法及び光源部２００の駆動方法を除けば、図５〜図９に係る表示装置の駆動方法と実質的に同一であるので、同一または対応する構成要素に対しては同じ図面符号を使い、繰り返される説明は省略する。
【００８８】
図１３においては、透明サブピクセルＴの駆動方法並びに第１及び第２サブピクセルＲ、Ｇの駆動方法を分けて図示する。
【００８９】
図１〜図４及び図１３を参照すると、表示パネル１００は、第１及び第２サブピクセルＲ、Ｇ並びに赤色と緑色の混合光である第１光源２１０の黄色光を利用して赤色及び緑色を表現し、第２光源２２０の青色光を利用して青色を表現する。
【００９０】
１つの入力画像データに対応する１つのフレームは、２つのサブフレームからなる。第１フレームＦＲＡＭＥ１は第１サブフレームＳＦ１及び第２サブフレームＳＦ２を含む。第２フレームＦＲＡＭＥ２は第３サブフレームＳＦ３及び第４サブフレームＳＦ４を含む。
【００９１】
本実施形態において、入力画像データが６０Ｈｚで入力されると仮定すると、２つのサブフレームで分割駆動される表示パネル１００は、１２０Ｈｚで画像を表示する。光源駆動部４００は第１及び第２光源２１０、２２０を２つのサブフレーム単位で交互にターンオンさせるので、光源駆動部４００が第１及び第２光源２１０、２２０を交互にターンオンさせる周期は１２０Ｈｚである。
【００９２】
本実施形態では、第１サブフレームＳＦ１及び第３サブフレームＳＦ３には青色を表す第２光源２２０がオンになり、第２サブフレームＳＦ２及び第４サブフレームＳＦ４には黄色を表す第１光源２１０がオンになることと定義する。
【００９３】
透明サブピクセルＴ並びに第１及び第２サブピクセルＲ、Ｇを同じ方式で駆動するすると、赤色及び緑色の場合は、フル階調の５０％しか表現できない問題がある。例えば、白色１００階調（フル階調で仮定）を表現するためには第１サブフレームＳＦ１の間に、第２光源２２０の１００階調に対応する青色光を透明サブピクセルＴが最大で透過して青色１００階調を表現する。また、第２サブフレームＳＦ２の間に第１光源２１０の５０階調に対応する黄色光を第１サブピクセルＲ及び第２サブピクセルＧが最大で透過して赤色５０階調、緑色５０階調を表現し、透明サブピクセルＴが最大で透過して黄色５０階調をそれぞれ表現する。
【００９４】
駆動方式では、赤色１００階調は、第１サブピクセルＲの５０階調と黄色５０階調の赤色成分５０階調の合計からなるので、純粋に赤色１００階調を表現できる方法がない。
【００９５】
本実施形態に係る駆動方式では、パネル駆動部３００は第１及び第２サブフレームＳＦ１、ＳＦ２の間に、第１及び第２サブピクセルＲ、Ｇに同じ階調データを設定する。
【００９６】
パネル駆動部３００は、第１及び第２サブピクセルＲ、Ｇに第１及び第２サブフレームＳＦ１、ＳＦ２の間に第２サブフレームＳＦ２に対応する階調データを設定する。
【００９７】
第１サブフレームＳＦ１の間には青色光Ｂがオンになるので、第１及び第２サブピクセルＲ、Ｇは液晶層が透過状態を有しても光を透過しない。従って、第１サブフレームＳＦ１の間に第２サブフレームＳＦ２に対応する第１及び第２サブピクセルＲ、Ｇの階調データを予め充電しても第１サブフレームＳＦ１の表示画像には変化がない。
【００９８】
第１サブフレームＳＦ１の間に第２サブフレームＳＦ２に対応する第１及び第２サブピクセルＲ、Ｇの階調データを予め充電して、第２サブフレームＳＦ２に液晶分子の遅い応答速度を補償することができる。従って、第２サブフレームＳＦ２の間に第１及び第２サブピクセルＲ、Ｇの輝度を向上させることができる。
【００９９】
反面、パネル駆動部３００は、透明サブピクセルＴに第１サブフレームＳＦ１の間に第１サブフレームＳＦ１に対応する階調データを設定し、第２サブフレームＳＦ２の間に第２サブフレームＳＦ２に対応する階調データを設定する。
【０１００】
図１３において、液晶応答曲線と光の強度グラフがオーバーラップする領域の広さは、サブフレームにおいてのサブピクセルの輝度に対応しているといえる。
【０１０１】
第２サブフレームＳＦ２で、透明サブピクセルＴ及び第１サブピクセルＲには同じ強度の光が照射され、透明サブピクセルＴに対応する液晶層及び第１サブピクセルＲに対応する液晶層は同じ光透過率を有する。この時、第１サブピクセルＲは、第１サブフレームＳＦ１の間にプリチャージされるので、第１サブピクセルＲは透明サブピクセルＴに比べて高い輝度を有する。
【０１０２】
例えば、第２サブフレームＳＦ２で、透明サブピクセルＴ及び第１サブピクセルＲには同じ強度の光が照射され、透明サブピクセルＴに対応する液晶層及び第１サブピクセルＲに対応する液晶層は同じ光透過率を有する時、第１サブピクセルＲは透明サブピクセルＴに比べて２倍の輝度を有することができる。
【０１０３】
即ち、本実施形態では第１サブピクセルＲの液晶層の光透過率を最大に設定し、黄色光の強度を最大（５０階調）に設定する時、実質的に赤色１００階調を表現することができる。
【０１０４】
同じ方式で、第２サブピクセルＧの液晶層の光透過率を最大で設定して、黄色光の強度を最大（５０階調）で設定する時、実質的に緑色１００階調を表現することができる。
【０１０５】
本実施形態によると、第１サブフレームＳＦ１に第１及び第２サブピクセルＲ、Ｇにプリチャージ電圧を印加して所望の階調を表現することができる。従って、表示品質を向上させることができる。
【０１０６】
図１４は、本発明のまた他の実施形態に係る表示装置の表示パネル及び光源部を示す断面図である。図１５は、図１４の表示装置を駆動する方法を示す概念図である。
【０１０７】
本実施形態に係る表示装置及びその駆動方法は、第１サブピクセルが赤色サブピクセルであり、第２サブピクセルが青色サブピクセルであり、第１光源がマゼンタ色光源であり、第２光源が緑色光源であることを除けば図１〜図９に係る表示装置及びその駆動方法と実質的に同一であるので、同一または対応する構成要素に対しては同じ図面符号を使い、繰り返される説明は省略する。
【０１０８】
図１及び図１４を参照すると、表示装置は、表示パネル１００、光源部２００、パネル駆動部３００及び光源駆動部４００を含む。
【０１０９】
表示パネル１００は、第１主要色を有する第１サブピクセルＲ、第２主要色を有する第２サブピクセルＢ及び透明サブピクセルＴを含む。
【０１１０】
本実施形態において、第１主要色は赤色であり、第１サブピクセルは赤色サブピクセルＲであるとよい。第２主要色は青色であり、第２サブピクセルは青色サブピクセルＢであるとよい。
【０１１１】
第１サブピクセルＲは、第２基板１２０に配置される赤色カラーフィルタによって定義できる。第２サブピクセルＢは、第２基板１２０に配置される青色カラーフィルタによって定義できる。透明サブピクセルＴは、第２基板１２０に配置される透明カラーフィルタによって定義できる。例えば、透明カラーフィルタは実質的にカラーフィルタが形成されていない空き空間であってもよい。カラーフィルタの間には遮光パターンＢＭが配置されてもよい。
【０１１２】
パネル駆動部３００は、第１サブピクセルＲ、第２サブピクセルＢ及び透明サブピクセルＴの階調データを設定する。
【０１１３】
光源部２００は、第１光源２１０及び第２光源２２０を含む。光源部２００は、導光板２３０をさらに含むとよい。光源部２００は、光を発生して表示パネル１００に提供する。
【０１１４】
第１光源２１０は、第１主要色及び第２主要色の混合色の光を発生する。本実施形態において、第１主要色は赤色であり、第２主要色は青色であるので、混合色はマゼンタ色（ｍａｇｅｎｔａ）である。
【０１１５】
第２光源２２０は、第３主要色の光を発生する。第３主要色は緑色であるとよい。
【０１１６】
光源駆動部４００は、光源部２００に接続されて光源部２００を駆動する。本実施形態において、光源駆動部４００は、第１光源２１０及び第２光源２２０を交互にターンオンさせることができる。例えば、第１サブフレームに第１光源２１０がターンオンされ、第２光源２２０はターンオフされる。第２サブフレームに第１光源２１０がターンオフされ、第２光源２２０がターンオンされる。
【０１１７】
図１４及び図１５を参照すると、１つの入力画像データに対応する１つのフレームは３つのサブフレームからなる。
【０１１８】
光源駆動部４００は、第１サブフレームＳＦ１の間に第１光源２１０をターンオンさせ、第２サブフレームＳＦ２の間に第２光源２２０をターンオンさせ、第３サブフレームＳＦ３の間に第１光源２１０をターンオンさせ、第４サブフレームＳＦ４の間に第２光源２２０をターンオンさせ、第５サブフレームＳＦ５の間に第１光源２１０をターンオンさせ、第６サブフレームＳＦ６の間に第２光源２２０をターンオンさせる。
【０１１９】
具体的に、光源駆動部４００は、同じ階調に対して第１及び第３サブフレームＳＦ１、ＳＦ３の間に第１光源２１０を第１強度ｍで駆動し、第５サブフレームＳＦ５の間に第１光源２１０を第１強度ｍより大きい第２強度Ｍで駆動する。
【０１２０】
具体的に、光源駆動部４００は、同じ階調に対して第４及び第６サブフレームＳＦ４、ＳＦ６の間に第２光源２２０を第３強度ｇで駆動し、第２サブフレームＳＦ２の間に第２光源２２０を第３強度ｇより大きい第４強度Ｇで駆動する。
【０１２１】
本実施形態によると、表示パネル１００は赤色、青色及び透明サブピクセルＲ、Ｂ、Ｔを含み、光源部２００は繰り返してターンオン及びターンオフされるマゼンタ色及び緑色光源ＭＬ、ＧＬを含むので表示装置の消費電力を減少させることができる。また、色分離現象を防止して表示品質を向上させることができる。
【０１２２】
図１６は、本発明のまた他の実施形態に係る図１４の表示装置を駆動する方法を示す概念図である。
【０１２３】
本実施形態に係る表示装置の駆動方法は光源部２００が４つのフレーム単位で繰り返されることを除けば、図１５に係る表示装置の駆動方法と実質的に同一であるので、同一または対応する構成要素に対しては同じ図面符号を使い、繰り返される説明は省略する。
【０１２４】
図１４及び図１６を参照すると、光源駆動部４００は、第１サブフレームＳＦ１の間に第１光源２１０をターンオンさせ、第２サブフレームＳＦ２の間に第２光源２２０をターンオンさせ、第３サブフレームＳＦ３の間に第１光源２１０をターンオンさせ、第４サブフレームＳＦ４の間に第２光源２２０をターンオンさせ、第５サブフレームＳＦ５の間に第１光源２１０をターンオンさせ、第６サブフレームＳＦ６の間に第２光源２２０をターンオンさせ、第７サブフレームＳＦ７の間に第１光源２１０をターンオンさせ、第８サブフレームＳＦ８の間に第２光源２２０をターンオンさせ、第９サブフレームＳＦ９の間に第１光源２１０をターンオンさせ、第１０サブフレームＳＦ１０の間に第２光源２２０をターンオンさせ、第１１サブフレームＳＦ１１の間に第１光源２１０をターンオンさせ、第１２サブフレームＳＦ１２の間に第２光源２２０をターンオンさせる。
【０１２５】
具体的に、光源駆動部４００は、同じ階調に対して第１、５及び第７サブフレームＳＦ１、ＳＦ５、ＳＦ７の間に第１光源２１０を第１強度ｍで駆動し、第３、第９及び第１１サブフレームＳＦ３、ＳＦ９、ＳＦ１１の間に第１光源２１０を第１強度ｍより大きい第２強度Ｍで駆動する。
【０１２６】
具体的に、光源駆動部４００は同じ階調に対して第４、第８及び第１０サブフレームＳＦ４、ＳＦ８、ＳＦ１０の間に第２光源２２０を第３強度ｇで駆動し、第２、第６及び第１２サブフレームＳＦ２、ＳＦ６、ＳＦ１２の間に第２光源２２０を第３強度ｇより大きい第４強度Ｇで駆動する。
【０１２７】
本実施形態においては、各フレーム（ＦＲＡＭＥ１〜ＦＲＡＭＥ４）の境界に配置する第３サブフレームＳＦ３及び第４サブフレームＳＦ４、第６サブフレームＳＦ６及び第７サブフレームＳＦ７、第９サブフレームＳＦ９及び第１０サブフレームＳＦ１０、第１２サブフレームＳＦ１２及び第１３サブフレームＳＦ１３のうちいずれか１つで第１及び第２光源２１０、２２０の強度が相対的に低いレベルｍ、ｇを有するので、色分離現象を減少させることができる。
【０１２８】
図１７は、本発明のまた他の実施形態に係る図１４の表示装置を駆動する方法を示す概念図である。
【０１２９】
本実施形態に係る表示装置の駆動方法は、表示パネル１００の駆動方法及び光源部２００の駆動方法を除けば、図１５に係る表示装置の駆動方法と実質的に同一であるので、同一または対応する構成要素に対しては同じ図面符号を使い、繰り返される説明は省略する。
【０１３０】
図１７では、透明サブピクセルＴの駆動方法及び第１及び第２サブピクセルＲ、Ｂの駆動方法を分けて図示する。
【０１３１】
図１４及び図１７を参照すると、表示パネル１００は、第１及び第２サブピクセルＲ、Ｂ、並びに赤色と青色の混合光である第１光源２１０のマゼンタ光を利用して赤色及び青色を表現し、第２光源２２０の緑色光を利用して緑色を表現する。
【０１３２】
本実施形態に係る駆動方式では、パネル駆動部３００は第１及び第２サブフレームＳＦ１、ＳＦ２の間に第１及び第２サブピクセルＲ、Ｂに同じ階調データを設定する。
【０１３３】
本実施形態によると、第１サブフレームＳＦ１に第１及び第２サブピクセルＲ、Ｂにプリチャージ電圧を印加して所望の階調を表現することができる。従って、表示品質を向上させることができる。
【０１３４】
図１８は、本発明のまた他の実施形態に係る表示装置の表示パネル及び光源部を示す断面図である。図１９は、図１８の表示装置を駆動する方法を示す概念図である。
【０１３５】
本実施形態に係る表示装置及びその駆動方法は、第１サブピクセルが緑色サブピクセルであり、第２サブピクセルが青色サブピクセルであり、第１光源がシアン色光源であり、第２光源が赤色光源であることを除けば図１〜図９に係る表示装置及びその駆動方法と実質的に同一であるので、同一または対応する構成要素に対しては同じ図面符号を使い、繰り返される説明は省略する。
【０１３６】
図１及び図１８を参照すると、表示装置は、表示パネル１００、光源部２００、パネル駆動部３００及び光源駆動部４００を含む。
【０１３７】
表示パネル１００は、第１主要色を有する第１サブピクセルＧ、第２主要色を有する第２サブピクセルＢ、及び透明サブピクセルＴを含む。
【０１３８】
本実施形態において、第１主要色は緑色であり、第１サブピクセルは緑色サブピクセルＧであるとよい。第２主要色は青色であり、第２サブピクセルは青色サブピクセルＢであるとよい。
【０１３９】
第１サブピクセルＧは、第２基板１２０に配置される緑色カラーフィルタによって定義できる。第２サブピクセルＢは、第２基板１２０に配置される青色カラーフィルタによって定義できる。透明サブピクセルＴは、第２基板１２０に配置される透明カラーフィルタによって定義できる。例えば、透明カラーフィルタは実質的にカラーフィルタが形成されていない空き空間であってもよい。カラーフィルタ間には遮光パターンＢＭが配置されてもよい。
【０１４０】
パネル駆動部３００は、第１サブピクセルＧ、第２サブピクセルＢ及び透明サブピクセルＴの階調データを設定する。
【０１４１】
光源部２００は、第１光源２１０、第２光源２２０を含む。光源部２００は、導光板２３０をさらに含んでもよい。光源部２００は、光を発生して表示パネル１００に提供する。
【０１４２】
第１光源２１０は、第１主要色及び第２主要色の混合色の光を発生する。本実施形態において、第１主要色は緑色であり、第２主要色は青色であるので、混合色はシアン色（ｃｙａｎ）である。
【０１４３】
第２光源２２０は、第３主要色の光を発生する。第３主要色は赤色であるとよい。
【０１４４】
光源駆動部４００は、光源部２００に接続されて光源部２００を駆動する。本実施形態において、光源駆動部４００は第１光源２１０及び第２光源２２０を交互にターンオンさせることができる。例えば、第１サブフレームに第１光源２１０がターンオンされて、第２光源２２０はターンオフされる。第２サブフレームに第１光源２１０がターンオフされ、第２光源２２０がターンオンされる。
【０１４５】
図１８及び図１９を参照すると、１つの入力画像データに対応する１つのフレームは３つのサブフレームからなる。
【０１４６】
光源駆動部４００は、第１サブフレームＳＦ１の間に第１光源２１０をターンオンさせ、第２サブフレームＳＦ２の間に第２光源２２０をターンオンさせ、第３サブフレームＳＦ３の間に第１光源２１０をターンオンさせ、第４サブフレームＳＦ４の間に第２光源２２０をターンオンさせ、第５サブフレームＳＦ５の間に第１光源２１０をターンオンさせ、第６サブフレームＳＦ６の間に第２光源２２０をターンオンさせる。
【０１４７】
具体的に、光源駆動部４００は、同じ階調に対して第１及び第３サブフレームＳＦ１、ＳＦ３の間に第１光源２１０を第１強度ｃで駆動し、第５サブフレームＳＦ５の間に第１光源２１０を第１強度ｃより大きい第２強度Ｃで駆動する。
【０１４８】
具体的に、光源駆動部４００は、同じ階調に対して第４及び第６サブフレームＳＦ４、ＳＦ６の間に第２光源２２０を第３強度ｒで駆動し、第２サブフレームＳＦ２の間に第２光源２２０を第３強度ｒより大きい第４強度Ｒで駆動する。
【０１４９】
本実施形態によると、表示パネル１００は緑色、青色及び透明サブピクセルＧ、Ｂ、Ｔを含み、光源部２００は繰り返してターンオン及びターンオフされるシアン色及び赤色光源ＣＬ、ＲＬを含むので、表示装置の消費電力を減少させることができる。また、色分離現象を防止して表示品質を向上させることができる。
【０１５０】
図２０は、本発明のまた他の実施形態に係る図１８の表示装置を駆動する方法を示す概念図である。
【０１５１】
本実施形態に係る表示装置の駆動方法は、光源部２００が４つのフレーム単位で繰り返されることを除けば、図１９に係る表示装置の駆動方法と実質的に同一であるので、同一または対応する構成要素に対しては同じ図面符号を使い、繰り返される説明は省略する。
【０１５２】
図１８及び図２０を参照すると、光源駆動部４００は、第１サブフレームＳＦ１の間に第１光源２１０をターンオンさせ、第２サブフレームＳＦ２の間に第２光源２２０をターンオンさせ、第３サブフレームＳＦ３の間に第１光源２１０をターンオンさせ、第４サブフレームＳＦ４の間に第２光源２２０をターンオンさせ、第５サブフレームＳＦ５の間に第１光源２１０をターンオンさせ、第６サブフレームＳＦ６の間に第２光源２２０をターンオンさせ、第７サブフレームＳＦ７の間に第１光源２１０をターンオンさせ、第８サブフレームＳＦ８の間に第２光源２２０をターンオンさせ、第９サブフレームＳＦ９の間に第１光源２１０をターンオンさせ、第１０サブフレームＳＦ１０の間に第２光源２２０をターンオンさせ、第１１サブフレームＳＦ１１の間に第１光源２１０をターンオンさせ、第１２サブフレームＳＦ１２の間に第２光源２２０をターンオンさせる。
【０１５３】
具体的に、光源駆動部４００は、同じ階調に対して第１サブフレームＳＦ１、第５サブフレームＳＦ５及び第７サブフレームＳＦ７の間に第１光源２１０を第１強度ｃで駆動し、第３サブフレームＳＦ３、第９サブフレームＳＦ９及び第１１サブフレームＳＦ１１の間に第１光源２１０を第１強度ｃより大きい第２強度Ｃで駆動する。
【０１５４】
具体的に、光源駆動部４００は、同じ階調に対して第４サブフレームＳＦ４、第８サブフレームＳＦ８及び第１０サブフレームＳＦ１０の間に第２光源２２０を第３強度ｒで駆動し、第２サブフレームＳＦ２、第６サブフレームＳ６及び第１２サブフレームＳＦ１２の間に第２光源２２０を第３強度ｒより大きい第４強度Ｒで駆動する。
【０１５５】
本実施形態においては、各フレーム（ＦＲＡＭＥ１〜ＦＲＡＭＥ４）の境界に配置する第３サブフレームＳＦ３及び第４サブフレームＳＦ４、第６サブフレームＳＦ６及び第７サブフレームＳＦ７、第９サブフレームＳＦ９及び第１０サブフレームＳＦ１０、第１２サブフレームＳＦ１２及び第１３サブフレームＳＦ１３のうちいずれか１つで第１及び第２光源２１０、２２０の強度が相対的に低いレベルｃ、ｒを有するので、色分離現象を減少させることができる。
【０１５６】
図２１は、本発明のまた他の実施形態に係る図１８の表示装置を駆動する方法を示す概念図である。
【０１５７】
本実施形態に係る表示装置の駆動方法は、表示パネル１００の駆動方法及び光源部２００の駆動方法を除けば、図１９に係る表示装置の駆動方法と実質的に同一であるので、同一または対応する構成要素に対しては同じ図面符号を使い、繰り返される説明は省略する。
【０１５８】
図２１では、透明サブピクセルＴの駆動方法並びに第１及び第２サブピクセルＧ、Ｂの駆動方法を分けて図示する。
【０１５９】
図１８及び図２１を参照すると、表示パネル１００は、第１及び第２サブピクセルＧ、Ｂ、並びに緑色と青色の混合光である第１光源２１０のシアン色光を利用して緑色及び青色を表現し、第２光源２２０の赤色光を利用して赤色を表現する。
【０１６０】
本実施形態に係る駆動方式では、パネル駆動部３００は、第１及び第２サブフレームＳＦ１、ＳＦ２の間に第１及び第２サブピクセルＧ、Ｂに同じ階調データを設定する。
【０１６１】
本実施形態によると、第１サブフレームＳＦ１に第１及び第２サブピクセルＧ、Ｂにプリチャージ電圧を印加して所望の階調を表現することができる。従って、表示品質を向上させることができる。
【０１６２】
図２２は、本発明のまた他の実施形態に係る表示装置の表示パネル及び光源部を示す断面図である。図２３は、図２２の表示装置を駆動する方法を示す概念図である。
【０１６３】
本実施形態に係る表示装置及びその駆動方法は、第１光源が白色光源であることを除けば、図１〜図９に係る表示装置及びその駆動方法と実質的に同一であるので、同一または対応する構成要素に対しては同じ図面符号を使い、繰り返される説明は省略する。
【０１６４】
図１及び図２２を参照すると、表示装置は、表示パネル１００、光源部２００、パネル駆動部３００及び光源駆動部４００を含む。
【０１６５】
表示パネル１００は、第１主要色を有する第１サブピクセルＲ、第２主要色を有する第２サブピクセルＧ及び透明サブピクセルＴを含む。
【０１６６】
本実施形態において、第１主要色は赤色であり、第１サブピクセルは赤色サブピクセルＲであるとよい。第２主要色は緑色であり、第２サブピクセルは緑色サブピクセルＧであるとよい。
【０１６７】
第１サブピクセルＲは、第２基板１２０に配置される赤色カラーフィルタによって定義できる。第２サブピクセルＧは、第２基板１２０に配置される緑色カラーフィルタによって定義できる。透明サブピクセルＴは、第２基板１２０に配置される透明カラーフィルタによって定義できる。例えば、透明カラーフィルタは実質的にカラーフィルタが形成されていない空き空間であってもよい。カラーフィルタの間には遮光パターンＢＭが配置されてもよい。
【０１６８】
パネル駆動部３００は、第１サブピクセルＲ、第２サブピクセルＧ及び透明サブピクセルＴの階調データを設定する。
【０１６９】
光源部２００は、第１光源２１０、第２光源２２０を含む。光源部２００は、導光板２３０をさらに含んでもよい。光源部２００は、光を発生して表示パネル１００に提供する。
【０１７０】
第１光源２１０は、白色光を発生する。第２光源２２０は第３主要色の光を発生する。第３主要色は青色であるとよい。
【０１７１】
光源駆動部４００は、光源部２００に接続されて光源部２００を駆動する。本実施形態において、光源駆動部４００は、第１光源２１０及び第２光源２２０を交互にターンオンさせることができる。例えば、第１サブフレームに第１光源２１０がターンオンされ、第２光源２２０はターンオフされる。第２サブフレームに第１光源２１０がターンオフされ、第２光源２２０がターンオンされる。
【０１７２】
パネル駆動部３００は、第１及び第２サブピクセルＲ、Ｇ、並びに透明サブピクセルＴの階調データを設定するサブピクセルレンダリングを遂行する。
【０１７３】
図２２及び図２３を参照すると、１つの入力画像データに対応する１つのフレームは３つのサブフレームからなる。
【０１７４】
光源駆動部４００は、第１サブフレームＳＦ１の間に第１光源２１０をターンオンさせ、第２サブフレームＳＦ２の間に第２光源２２０をターンオンさせ、第３サブフレームＳＦ３の間に第１光源２１０をターンオンさせ、第４サブフレームＳＦ４の間に第２光源２２０をターンオンさせ、第５サブフレームＳＦ５の間に第１光源２１０をターンオンさせ、第６サブフレームＳＦ６の間に第２光源２２０をターンオンさせる。
【０１７５】
具体的に、光源駆動部４００は、同じ階調に対して第１及び第３サブフレームＳＦ１、ＳＦ３の間に第１光源２１０を第１強度ｗで駆動し、第５サブフレームＳＦ５の間に第１光源２１０を第１強度ｗより大きい第２強度Ｗで駆動する。
【０１７６】
具体的に、光源駆動部４００は、同じ階調に対して第４及び第６サブフレームＳＦ４、ＳＦ６の間に第２光源２２０を第３強度ｂで駆動し、第２サブフレームＳＦ２の間に第２光源２２０を第３強度ｂより大きい第４強度Ｂで駆動する。
【０１７７】
本実施形態においては、液晶分子の状態が変化する第１サブフレームＳＦ１及び第３サブフレームＳＦ３で第１光源２１０の強度が相対的に低いレベルｗを有するので、第１フレームＦＲＡＭＥ１内で液晶の応答速度にともなう輝度の減少幅を減らすことができる。
【０１７８】
また、第１フレームＦＲＡＭＥ１と第２フレームＦＲＡＭＥ２との境界に配置する第３サブフレームＳＦ３及び第４サブフレームＳＦ４間に第１及び第２光源２１０、２２０の強度が相対的に低いレベルｗ、ｂを有するので、色分離現象を減少させることができる。
【０１７９】
図２４及び図２５は、図２３の表示装置駆動方法によって図２２の表示パネル上に視認される画像を示す概念図である。
【０１８０】
図２４は、白色四角形画像が表示パネル１００上で水平方向に移動する場合を例示する。
【０１８１】
図２４を参照すると、上段の四角形は、第１フレームＦＲＡＭＥ１で表示される白色四角形画像を意味し、下段の四角形は第２フレームＦＲＡＭＥ２で表示される白色四角形画像を意味する。
【０１８２】
第１フレームＦＲＡＭＥ１に、第１及び第２光源２１０、２２０は、ｗ、Ｂ、ｗの強度を有し、第１フレームＦＲＡＭＥ２の位置で水平方向に移動した第２フレームＦＲＡＭＥ２に、第１及び第２光源２１０、２２０はｂ、Ｗ、ｂの強度を有する。
【０１８３】
図２４及び図２５を参照すると、四角形画像の移動により観察者の視野は自然に四角形画像について動くことになる。
【０１８４】
観察者の視野が第１時点Ｖ１にしたがって移動する時、観察者には赤色、緑色、青色の混合色に該当する白色ｗと青色ｂが混ざって見えることになるので、観察者は無彩色に近い青色を視認することになる。従って、色分離現象を減少させることができる。また、第１及び第２光源２１０、２２０は、第１時点Ｖ１で弱い強度ｗ、ｂを有するので、観察者は四角形画像の移動をより滑らかに視認することができる。
【０１８５】
観察者の視野が第２時点Ｖ２にしたがって移動する時、観察者には白色ｙと青色ｂが混ざって見えることになるので、観察者は無彩色に近い青色を視認することになる。従って、色分離現象を減少させることができる。また、第１及び第２光源２１０、２２０は、第２時点Ｖ２で弱い強度ｗ、ｂを有するので、観察者は四角形画像の移動をより滑らかに視認されることができる。
【０１８６】
本実施形態によると、表示パネル１００は赤色、緑色及び透明サブピクセルＲ、Ｇ、Ｔを含み、光源部２００は繰り返してターンオン及びターンオフされる白色及び青色光源ＷＬ、ＢＬを含むので、表示装置の消費電力を減少させることができる。また、色分離現象を防止して表示品質を向上させることができる。
【０１８７】
図２６は、本発明のまた他の実施形態に係る図２２の表示装置を駆動する方法を示す概念図である。
【０１８８】
本実施形態に係る表示装置の駆動方法は、光源部２００が４つのフレーム単位で繰り返されることを除けば、図２３に係る表示装置の駆動方法と実質的に同一であるので、同一または対応する構成要素に対しては同じ図面符号を使い、繰り返される説明は省略する。
【０１８９】
図２２及び図２６を参照すると、光源駆動部４００は、第１サブフレームＳＦ１の間に第１光源２１０をターンオンさせ、第２サブフレームＳＦ２の間に第２光源２２０をターンオンさせ、第３サブフレームＳＦ３の間に第１光源２１０をターンオンさせ、第４サブフレームＳＦ４の間に第２光源２２０をターンオンさせ、第５サブフレームＳＦ５の間に第１光源２１０をターンオンさせ、第６サブフレームＳＦ６の間に第２光源２２０をターンオンさせ、第７サブフレームＳＦ７の間に第１光源２１０をターンオンさせ、第８サブフレームＳＦ８の間に第２光源２２０をターンオンさせ、第９サブフレームＳＦ９の間に第１光源２１０をターンオンさせ、第１０サブフレームＳＦ１０の間に第２光源２２０をターンオンさせ、第１１サブフレームＳＦ１１の間に第１光源２１０をターンオンさせ、第１２サブフレームＳＦ１２の間に第２光源２２０をターンオンさせる。
【０１９０】
具体的に、光源駆動部４００は、同じ階調に対して第１サブフレームＳＦ１、第５サブフレームＳＦ５及び第７サブフレームＳＦ７間に第１光源２１０を第１強度ｗで駆動し、第３サブフレームＳＦ３、第９サブフレームＳＦ９及び第１１サブフレームＳＦ１１間に第１光源２１０を第１強度ｗより大きい第２強度Ｗで駆動する。
【０１９１】
具体的に、光源駆動部４００は、同じ階調に対して第４サブフレームＳＦ４、第８サブフレームＳＦ８及び第１０サブフレームＳＦ１０間に第２光源２２０を第３強度ｂで駆動し、第２サブフレームＳＦ２、第６サブフレームＳＦ６及び第１２サブフレームＳＦ１２間に第２光源２２０を第３強度ｂより大きい第４強度Ｂで駆動する。
【０１９２】
本実施形態においては、各フレーム（ＦＲＡＭＥ１〜ＦＲＡＭＥ４）の境界に配置する第３サブフレームＳＦ３及び第４サブフレームＳＦ４、第６サブフレームＳＦ６及び第７サブフレームＳＦ７、第９サブフレームＳＦ９及び第１０サブフレームＳＦ１０、第１２サブフレームＳＦ１２及び第１３サブフレームＳＦ１３のうちいずれか１つで第１及び第２光源２１０、２２０の強度が相対的に低いレベルｗ、ｂを有するので、色分離現象を減少させることができる。
【０１９３】
図２７は、本発明のまた他の実施形態に係る図２２の表示装置を駆動する方法を示す概念図である。
【０１９４】
本実施形態に係る表示装置の駆動方法は、表示パネル１００の駆動方法及び光源部２００の駆動方法を除けば、図２３に係る表示装置の駆動方法と実質的に同一であるので、同一または対応する構成要素に対しては同じ図面符号を使い、繰り返される説明は省略する。
【０１９５】
図２７では、透明サブピクセルＴの駆動方法及び第１及び第２サブピクセルＲ、Ｇの駆動方法を分けて図示する。
【０１９６】
図２２及び図２７を参照すると、表示パネル１００は、第１及び第２サブピクセルＲ、Ｇ、及び第１光源２１０の白色光を利用して赤色及び緑色を表現し、第１光源２１０の白色光及び第２光源２２０の青色光を利用して青色を表現する。
【０１９７】
本実施形態においては、第１及び第３サブフレームＳＦ１、ＳＦ３には青色を表す第２光源２２０がオンになり、第２及び第４サブフレームＳＦ２、ＳＦ４には白色を表す第１光源２１０がオンになると定義する。
【０１９８】
透明サブピクセルＴ及び第１及び第２サブピクセルＲ、Ｇを同じ方式で駆動すると、赤色及び緑色の場合はフル階調の５０％しか表現できないという問題がある。
【０１９９】
本実施形態に係る駆動方式では、パネル駆動部３００は第１及び第２サブフレームＳＦ１、ＳＦ２間に第１及び第２サブピクセルＲ、Ｇに同じ階調データを設定する。
【０２００】
パネル駆動部３００は第１及び第２サブピクセルＲ、Ｇに第１及び第２サブフレームＳＦ１、ＳＦ２間に第２サブフレームＳＦ２に対応する階調データを設定する。
【０２０１】
第１サブフレームＳＦ１の間には青色光Ｂがオンになるので、第１及び第２サブピクセルＲ、Ｇは液晶層が透過状態を有しても光を透過しない。従って、第１サブフレームＳＦ１の間に第２サブフレームＳＦ２に対応する第１及び第２サブピクセルＲ、Ｇの階調データを予め充電しても第１サブフレームＳＦ１の表示画像には変化がない。
【０２０２】
第１サブフレームＳＦ１の間に第２サブフレームＳＦ２に対応する第１及び第２サブピクセルＲ、Ｇの階調データを予め充電して、第２サブフレームＳＦ２に液晶分子の遅い応答速度を補償することができる。従って、第２サブフレームＳＦ２の間に第１及び第２サブピクセルＲ、Ｇの輝度を向上させることができる。
【０２０３】
反面、パネル駆動部３００は、透明サブピクセルＴに第１サブフレームＳＦ１の間に第１サブフレームＳＦ１に対応する階調データを設定して、第２サブフレームＳＦ２の間に第２サブフレームＳＦ２に対応する階調データを設定する。
【０２０４】
本実施形態によると、第１サブフレームＳＦ１に第１及び第２サブピクセルＲ、Ｇにプリチャージ電圧を印加して所望の階調を表現することができる。従って、表示品質を向上させることができる。
【０２０５】
図２８は、本発明のまた他の実施形態に係る表示装置の表示パネル及び光源部を示す断面図である。図２９は、図１５の表示装置を駆動する方法を示す概念図である。
【０２０６】
本実施形態に係る表示装置及びその駆動方法は、第１光源が白色光源であることを除けば、図１４及び図１５に係る表示装置及びその駆動方法と実質的に同一であるので、同一または対応する構成要素に対しては同じ図面符号を使い、繰り返される説明は省略する。
【０２０７】
図１及び図２８を参照すると、表示装置は、表示パネル１００、光源部２００、パネル駆動部３００及び光源駆動部４００を含む。
【０２０８】
表示パネル１００は、第１主要色を有する第１サブピクセルＲ、第２主要色を有する第２サブピクセルＢ、及び透明サブピクセルＴを含む。
【０２０９】
本実施形態において、第１主要色は赤色であり、第１サブピクセルは赤色サブピクセルＲであってもよい。第２主要色は青色であり、第２サブピクセルは青色サブピクセルＢであってもよい。
【０２１０】
第１サブピクセルＲは、第２基板１２０に配置される赤色カラーフィルタによって定義できる。第２サブピクセルＢは、第２基板１２０に配置される青色カラーフィルタによって定義できる。透明サブピクセルＴは、第２基板１２０に配置される透明カラーフィルタによって定義できる。例えば、透明カラーフィルタは、実質的にカラーフィルタが形成されていない空き空間であってもよい。カラーフィルタ間には遮光パターンＢＭが配置されてもよい。
【０２１１】
パネル駆動部３００は、第１サブピクセルＲ、第２サブピクセルＢ及び透明サブピクセルＴの階調データを設定する。
【０２１２】
光源部２００は、第１光源２１０、第２光源２２０を含む。光源部２００は導光板２３０をさらに含んでもよい。光源部２００は、光を発生して表示パネル１００に提供する。
【０２１３】
第１光源２１０は、白色光を発生する。第２光源２２０は、第３主要色の光を発生する。第３主要色は緑色であるとよい。
【０２１４】
光源駆動部４００は、光源部２００に接続されて光源部２００を駆動する。本実施形態において、光源駆動部４００は、第１光源２１０及び第２光源２２０を交互にターンオンさせることができる。例えば、第１サブフレームに第１光源２１０がターンオンされ、第２光源２２０はターンオフされる。第２サブフレームに第１光源２１０がターンオフされ、第２光源２２０がターンオンされる。
【０２１５】
図２８及び図２９を参照すると、１つの入力画像データに対応する１つのフレームは３つのサブフレームからなる。
【０２１６】
光源駆動部４００は、第１サブフレームＳＦ１の間に第１光源２１０をターンオンさせ、第２サブフレームＳＦ２の間に第２光源２２０をターンオンさせ、第３サブフレームＳＦ３の間に第１光源２１０をターンオンさせ、第４サブフレームＳＦ４の間に第２光源２２０をターンオンさせ、第５サブフレームＳＦ５の間に第１光源２１０をターンオンさせ、第６サブフレームＳＦ６の間に第２光源２２０をターンオンさせる。
【０２１７】
具体的に、光源駆動部４００は、同じ階調に対して第１及び第３サブフレームＳＦ１、ＳＦ３の間に第１光源２１０を第１強度ｗで駆動し、第５サブフレームＳＦ５の間に第１光源２１０を第１強度ｗより大きい第２強度Ｗで駆動する。
【０２１８】
具体的に、光源駆動部４００は、同じ階調に対して第４及び第６サブフレームＳＦ４、ＳＦ６の間に第２光源２２０を第３強度ｇで駆動し、第２サブフレームＳＦ２の間に第２光源２２０を第３強度ｇより大きい第４強度Ｇで駆動する。
【０２１９】
本実施形態によると、表示パネル１００は赤色、青色及び透明サブピクセルＲ、Ｂ、Ｔを含み、光源部２００は繰り返してターンオン及びターンオフされる白色及び緑色光源ＷＬ、ＧＬを含むので、表示装置の消費電力を減少させることができる。また、色分離現象を防止して表示品質を向上させることができる。
【０２２０】
図３０は、本発明のまた他の実施形態に係る図２８の表示装置を駆動する方法を示す概念図である。
【０２２１】
本実施形態に係る表示装置の駆動方法は、光源部２００が４つのフレーム単位で繰り返されることを除けば、図２９に係る表示装置の駆動方法と実質的に同一であるので、同一または対応する構成要素に対しては同じ図面符号を使い、繰り返される説明は省略する。
【０２２２】
図２８及び図３０を参照すると、光源駆動部４００は、第１サブフレームＳＦ１の間に第１光源２１０をターンオンさせ、第２サブフレームＳＦ２の間に第２光源２２０をターンオンさせ、第３サブフレームＳＦ３の間に第１光源２１０をターンオンさせ、第４サブフレームＳＦ４の間に第２光源２２０をターンオンさせ、第５サブフレームＳＦ５の間に第１光源２１０をターンオンさせ、第６サブフレームＳＦ６の間に第２光源２２０をターンオンさせ、第７サブフレームＳＦ７の間に第１光源２１０をターンオンさせ、第８サブフレームＳＦ８の間に第２光源２２０をターンオンさせ、第９サブフレームＳＦ９の間に第１光源２１０をターンオンさせ、第１０サブフレームＳＦ１０の間に第２光源２２０をターンオンさせ、第１１サブフレームＳＦ１１の間に第１光源２１０をターンオンさせ、第１２サブフレームＳＦ１２の間に第２光源２２０をターンオンさせる。
【０２２３】
具体的に、光源駆動部４００は、同じ階調に対して第１サブフレームＳＦ１、第５サブフレームＳＦ５及び第７サブフレームＳＦ７の間に第１光源２１０を第１強度ｗで駆動し、第３サブフレームＳＦ３、第９サブフレームＳＦ９及び第１１サブフレームＳＦ１１の間に第１光源２１０を第１強度ｗより大きい第２強度Ｗで駆動する。
【０２２４】
具体的に、光源駆動部４００は、同じ階調に対して第４サブフレームＳＦ４、第８サブフレームＳＦ８及び第１０サブフレームＳＦ１０の間に第２光源２２０を第３強度ｇで駆動し、第２サブフレームＳＦ２、第６サブフレームＳＦ６及び第１２サブフレームＳＦ１２の間に第２光源２２０を第３強度ｇより大きい第４強度Ｇで駆動する。
【０２２５】
本実施形態においては、各フレーム（ＦＲＡＭＥ１〜ＦＲＡＭＥ４）の境界に配置する第３サブフレームＳＦ３及び第４サブフレームＳＦ４、第６サブフレームＳＦ６及び第７サブフレームＳＦ７、第９サブフレームＳＦ９及び第１０サブフレームＳＦ１０、第１２サブフレームＳＦ１２及び第１３サブフレームＳＦ１３のうちいずれか１つで第１及び第２光源２１０、２２０の強度が相対的に低いレベルｗ、ｇを有するので、色分離現象を減少させることができる。
【０２２６】
図３１は、本発明のまた他の実施形態に係る図２８の表示装置を駆動する方法を示す概念図である。
【０２２７】
本実施形態に係る表示装置の駆動方法は、表示パネル１００の駆動方法及び光源部２００の駆動方法を除けば、図３０に係る表示装置の駆動方法と実質的に同一であるので、同一または対応する構成要素に対しては同じ図面符号を使い、繰り返される説明は省略する。
【０２２８】
図３１では、透明サブピクセルＴの駆動方法及び第１及び第２サブピクセルＲ、Ｂの駆動方法を分けて図示する。
【０２２９】
図２８及び図３１を参照すると、表示パネル１００は、第１及び第２サブピクセルＲ、Ｂ、及び第１光源２１０の白色光を利用して赤色及び青色を表現し、第１光源２１０の白色光及び第２光源２２０の緑色光を利用して緑色を表現する。
【０２３０】
本実施形態に係る駆動方式では、パネル駆動部３００は第１及び第２サブフレームＳＦ１、ＳＦ２の間に第１及び第２サブピクセルＲ、Ｂに同じ階調データを設定する。
【０２３１】
本実施形態によると、第１サブフレームＳＦ１に第１及び第２サブピクセルＲ、Ｂにプリチャージ電圧を印加して所望の階調を表現することができる。従って、表示品質を向上させることができる。
【０２３２】
図３２は、本発明のまた他の実施形態に係る表示装置の表示パネル及び光源部を示す断面図である。図３３は、図３２の表示装置を駆動する方法を示す概念図である。
【０２３３】
本実施形態に係る表示装置及びその駆動方法は、第１光源が白色光源であることを除けば、図１８及び図１９に係る表示装置及びその駆動方法と実質的に同一であるので、同一または対応する構成要素に対しては同じ図面符号を使い、繰り返される説明は省略する。
【０２３４】
図１及び図３２を参照すると、表示装置は、表示パネル１００、光源部２００、パネル駆動部３００及び光源駆動部４００を含む。
【０２３５】
表示パネル１００は、第１主要色を有する第１サブピクセルＧ、第２主要色を有する第２サブピクセルＢ及び透明サブピクセルＴを含む。
【０２３６】
本実施形態において、第１主要色は緑色であり、第１サブピクセルは緑色サブピクセルＧであるとよい。第２主要色は青色であり、第２サブピクセルは青色サブピクセルＢであるとよい。
【０２３７】
第１サブピクセルＧは、第２基板１２０に配置される緑色カラーフィルタによって定義できる。第２サブピクセルＢは、第２基板１２０に配置される青色カラーフィルタによって定義できる。透明サブピクセルＴは、第２基板１２０に配置される透明カラーフィルタによって定義できる。例えば、透明カラーフィルタは、実質的にカラーフィルタが形成されていない空き空間であってもよい。カラーフィルタの間には遮光パターンＢＭが配置されてもよい。
【０２３８】
パネル駆動部３００は、第１サブピクセルＧ、第２サブピクセルＢ及び透明サブピクセルＴの階調データを設定する。
【０２３９】
光源部２００は、第１光源２１０、第２光源２２０を含む。光源部２００は、導光板２３０をさらに含んでもよい。光源部２００は、光を発生して表示パネル１００に提供する。
【０２４０】
第１光源２１０は、白色光を発生する。第２光源２２０は、第３主要色の光を発生する。第３主要色は赤色であるとよい。
【０２４１】
光源駆動部４００は、光源部２００に接続されて光源部２００を駆動する。本実施形態において、光源駆動部４００は、第１光源２１０及び第２光源２２０を交互にターンオンさせることができる。例えば、第１サブフレームに第１光源２１０がターンオンされ、第２光源２２０はターンオフされる。第２サブフレームに第１光源２１０がターンオフされ、第２光源２２０がターンオンされる。
【０２４２】
図３２及び図３３を参照すると、１つの入力画像データに対応する１つのフレームは３つのサブフレームからなる。
【０２４３】
光源駆動部４００は、第１サブフレームＳＦ１の間に第１光源２１０をターンオンさせ、第２サブフレームＳＦ２の間に第２光源２２０をターンオンさせ、第３サブフレームＳＦ３の間に第１光源２１０をターンオンさせ、第４サブフレームＳＦ４の間に第２光源２２０をターンオンさせ、第５サブフレームＳＦ５の間に第１光源２１０をターンオンさせ、第６サブフレームＳＦ６の間に第２光源２２０をターンオンさせる。
【０２４４】
具体的に、光源駆動部４００は、同じ階調に対して第１及び第３サブフレームＳＦ１、ＳＦ３の間に第１光源２１０を第１強度ｗで駆動し、第５サブフレームＳＦ５の間に第１光源２１０を第１強度ｗより大きい第２強度Ｗで駆動する。
【０２４５】
具体的に、光源駆動部４００は、同じ階調に対して第４及び第６サブフレームＳＦ４、ＳＦ６の間に第２光源２２０を第３強度ｒで駆動し、第２サブフレームＳＦ２の間に第２光源２２０を第３強度ｒより大きい第４強度Ｒで駆動する。
【０２４６】
本実施形態によると、表示パネル１００は緑色、青色及び透明サブピクセルＧ、Ｂ、Ｔを含み、光源部２００は繰り返してターンオン及びターンオフされる白色及び赤色光源ＷＬ、ＲＬを含むので、表示装置の消費電力を減少させることができる。また、色分離現象を防止して表示品質を向上させることができる。
【０２４７】
図３４は、本発明のまた他の実施形態に係る図３２の表示装置を駆動する方法を示す概念図である。
【０２４８】
本実施形態に係る表示装置の駆動方法は、光源部２００が４つのフレーム単位で繰り返されることを除けば、図３３に係る表示装置の駆動方法と実質的に同一であるので、同一または対応する構成要素に対しては同じ図面符号を使い、繰り返される説明は省略する。
【０２４９】
図３２及び図３４を参照すると、光源駆動部４００は、第１サブフレームＳＦ１の間に第１光源２１０をターンオンさせ、第２サブフレームＳＦ２の間に第２光源２２０をターンオンさせ、第３サブフレームＳＦ３の間に第１光源２１０をターンオンさせ、第４サブフレームＳＦ４の間に第２光源２２０をターンオンさせ、第５サブフレームＳＦ５の間に第１光源２１０をターンオンさせ、第６サブフレームＳＦ６の間に第２光源２２０をターンオンさせ、第７サブフレームＳＦ７の間に第１光源２１０をターンオンさせ、第８サブフレームＳＦ８の間に第２光源２２０をターンオンさせ、第９サブフレームＳＦ９の間に第１光源２１０をターンオンさせ、第１０サブフレームＳＦ１０の間に第２光源２２０をターンオンさせ、第１１サブフレームＳＦ１１の間に第１光源２１０をターンオンさせ、第１２サブフレームＳＦ１２の間に第２光源２２０をターンオンさせる。
【０２５０】
具体的に、光源駆動部４００は、同じ階調に対して第１サブフレームＳＦ１、第５サブフレームＳＦ５及び第７サブフレームＳＦ７の間に第１光源２１０を第１強度ｗで駆動し、第３サブフレームＳＦ３、第９サブフレームＳＦ９及び第１１サブフレームＳＦ１１の間に第１光源２１０を第１強度ｗより大きい第２強度Ｗで駆動する。
【０２５１】
具体的に、光源駆動部４００は、同じ階調に対して第４サブフレームＳＦ４、第８サブフレームＳＦ８及び第１０サブフレームＳＦ１０の間に第２光源２２０を第３強度ｒで駆動し、第２サブフレームＳＦ２、第６サブフレームＳＦ６及び第１２サブフレームＳＦ１２の間に第２光源２２０を第３強度ｒより大きい第４強度Ｒで駆動する。
【０２５２】
本実施形態においては、各フレーム（ＦＲＡＭＥ１〜ＦＲＡＭＥ４）の境界に配置する第３サブフレームＳＦ３及び第４サブフレームＳＦ４、第６サブフレームＳＦ６及び第７サブフレームＳＦ７、第９サブフレームＳＦ９及び第１０サブフレームＳＦ１０、第１２サブフレームＳＦ１２及び第１３サブフレームＳＦ１３のうちいずれか１つで第１及び第２光源２１０、２２０の強度が相対的に低いレベルｗ、ｒを有するので、色分離現象を減少させることができる。
【０２５３】
図３５は、本発明のまた他の実施形態に係る図３２の表示装置を駆動する方法を示す概念図である。
【０２５４】
本実施形態に係る表示装置の駆動方法は、表示パネル１００の駆動方法及び光源部２００の駆動方法を除けば、図３３に係る表示装置の駆動方法と実質的に同一であるので、同一または対応する構成要素に対しては同じ図面符号を使い、繰り返される説明は省略する。
【０２５５】
図３５では、透明サブピクセルＴの駆動方法及び第１及び第２サブピクセルＧ、Ｂの駆動方法を分けて図示する。
【０２５６】
図３２及び図３５を参照すると、表示パネル１００は、第１及び第２サブピクセルＧ、Ｂ及び第１光源２１０の白色光を利用して緑色及び青色を表現し、第１光源２１０の白色光及び第２光源２２０の赤色光を利用して赤色を表現する。
【０２５７】
本実施形態に係る駆動方式では、パネル駆動部３００は第１及び第２サブフレームＳＦ１、ＳＦ２の間に第１及び第２サブピクセルＧ、Ｂに同じ階調データを設定する。
【０２５８】
本実施形態によると、第１サブフレームＳＦ１に第１及び第２サブピクセルＧ、Ｂにプリチャージ電圧を印加して所望の階調を表現することができる。従って、表示品質を向上させることができる。
【０２５９】
図３６は、第１サブフレームで本発明のまた他の実施形態に係る表示装置の表示パネル及び光源部を示す断面図である。図３７は、第２サブフレームで図３６の表示パネル及び光源部を示す断面図である。
【０２６０】
本実施形態に係る表示装置は、第２サブフレームに第１及び第２光源がターンオンされることを除けば、図１〜図４に係る表示装置と実質的に同一であるので、同一または対応する構成要素に対しては同じ図面符号を使い、繰り返される説明は省略する。
【０２６１】
図１、図２、図３６及び図３７を参照すると、表示装置は、表示パネル１００、光源部２００、パネル駆動部３００及び光源駆動部４００を含む。
【０２６２】
表示パネル１００は、第１主要色を有する第１サブピクセルＲ、第２主要色を有する第２サブピクセルＧ及び透明サブピクセルＴを含む。
【０２６３】
本実施形態において、第１主要色は赤色であり、第１サブピクセルは赤色サブピクセルＲであるとよい。第２主要色は緑色であり、第２サブピクセルは緑色サブピクセルＧであるとよい。これとは異なり、第１主要色は赤色であり、第１サブピクセルは赤色サブピクセルＲであってもよい。第２主要色は青色であり、第２サブピクセルは青色サブピクセルＢであってもよい。さらに、これとは異なり、第１主要色は緑色であり、第１サブピクセルは緑色サブピクセルＧであってもよい。第２主要色は青色であり、第２サブピクセルは青色サブピクセルＢであってもよい。
【０２６４】
第１サブピクセルＲは、第２基板１２０に配置される赤色カラーフィルタによって定義できる。第２サブピクセルＧは、第２基板１２０に配置される緑色カラーフィルタによって定義できる。透明サブピクセルＴは、第２基板１２０に配置される透明カラーフィルタによって定義できる。例えば、透明カラーフィルタは実質的にカラーフィルタが形成されていない空き空間であってもよい。カラーフィルタ間には遮光パターンＢＭが配置されてもよい。
【０２６５】
パネル駆動部３００は、第１サブピクセルＲ、第２サブピクセルＧ及び透明サブピクセルＴの階調データを設定する。
【０２６６】
光源部２００は、互いに異なる色を有する第１光源２１０及び第２光源２２０を含む。光源部２００は、導光板２３０をさらに含んでもよい。光源部２００は、光を発生して表示パネル１００に提供する。
【０２６７】
第１光源２１０は、第１主要色及び第２主要色の混合色の光を発生する。本実施形態において、第１主要色は赤色であり、第２主要色は緑色であるので、混合色は黄色（ｙｅｌｌｏｗ）である。これとは異なり、混合色はマゼンタ（ｍａｇｅｎｔａ）であってもよい。さらに、これとは異なり、混合色はシアン（ｃｙａｎ）であってもよい。さらに、これとは異なり、第１光源２１０は、白色光を発生してもよい。第２光源２２０は、第３主要色の光を発生する。
【０２６８】
光源駆動部４００は、光源部２００に接続されて光源部２００を駆動する。光源駆動部４００は、第１光源２１０及び第２光源２２０のうち少なくとも１つを繰り返してターンオン及びターンオフさせる。
【０２６９】
本実施形態において、光源駆動部４００は、第１光源２１０を常時ターンオンさせ、第２光源２２０を繰り返しターンオン及びターンオフさせることができる。
【０２７０】
本実施形態において、第１サブフレームに第１光源２１０がターンオンされ、第２光源２２０はターンオフされる。第２サブフレームに第１光源２１０及び第２光源２２０がターンオンされる。
【０２７１】
パネル駆動部３００は、第１及び第２サブピクセルＲ、Ｇ、並びに透明サブピクセルＴの階調データを設定するサブピクセルレンダリングを遂行する。
【０２７２】
例えば、表示パネル１００がホワイト１００階調を表現しようと思う場合、第１サブフレームに、パネル駆動部３００は第１主要色の階調データを２０階調、第２主要色の階調データを２０階調に設定することができる。第１光源２１０は２０階調に対応する混合光を発生し、透明サブピクセルＴは第１光源２１０の光を通過させる。
【０２７３】
第２サブフレームに、パネル駆動部３００は、第１主要色の階調データを３０階調、第２主要色の階調データを３０階調に設定することができる。第１光源２１０は３０階調に対応する混合光を発生し、第２光源２２０は１００階調に対応する第３主要色の光を発生し、透明サブピクセルＴは第１光源２１０及び第２光源２２０の光を通過させる。
【０２７４】
第１サブフレームの２０階調及び第２サブフレームの３０階調は例示に過ぎず、第１及び第２サブフレームの混合画像が所望するホワイト階調を表現できるように変更してもよい。
【０２７５】
本実施形態によると、表示パネル１００は赤色、緑色及び透明サブピクセルＲ、Ｇ、Ｔを含み、光源部２００は繰り返してターンオン及びターンオフされる青色光源ＢＬを含むので、表示装置の消費電力を減少させることができる。
【０２７６】
図３８は、第１サブフレームで本発明のまた他の実施形態に係る表示装置の表示パネル及び光源部を示す断面図である。図３９は、第２サブフレームで図３８の表示パネル及び光源部を示す断面図である。
【０２７７】
本実施形態に係る表示装置は、第１サブフレームに第１及び第２光源がターンオンされることを除けば、図１〜図４に係る表示装置と実質的に同一であるので、同一または対応する構成要素に対しては同じ図面符号を使い、繰り返される説明は省略する。
【０２７８】
図１、図２、図３８及び図３９を参照すると、表示装置は、表示パネル１００、光源部２００、パネル駆動部３００及び光源駆動部４００を含む。
【０２７９】
表示パネル１００は、第１主要色を有する第１サブピクセルＲ、第２主要色を有する第２サブピクセルＧ及び透明サブピクセルＴを含む。
【０２８０】
本実施形態において、第１主要色は赤色であり、第１サブピクセルは赤色サブピクセルＲであってもよい。第２主要色は緑色であり、第２サブピクセルは緑色サブピクセルＧであってもよい。これとは異なり、第１主要色は赤色であり、第１サブピクセルは赤色サブピクセルＲであってもよい。第２主要色は青色であり、第２サブピクセルは青色サブピクセルＢであってもよい。さらに、これとは異なり、第１主要色は緑色であり、第１サブピクセルは緑色サブピクセルＧであってもよい。第２主要色は青色であり、第２サブピクセルは青色サブピクセルＢであってもよい。
【０２８１】
第１サブピクセルＲは、第２基板１２０に配置される赤色カラーフィルタによって定義できる。第２サブピクセルＧは、第２基板１２０に配置される緑色カラーフィルタによって定義できる。透明サブピクセルＴは、第２基板１２０に配置される透明カラーフィルタによって定義できる。例えば、透明カラーフィルタは、実質的にカラーフィルタが形成されていない空き空間であってもよい。カラーフィルタ間には遮光パターンＢＭが配置されてもよい。
【０２８２】
パネル駆動部３００は、第１サブピクセルＲ、第２サブピクセルＧ及び透明サブピクセルＴの階調データを設定する。
【０２８３】
光源部２００は、互いに異なる色を有する第１光源２１０及び第２光源２２０を含む。光源部２００は、導光板２３０をさらに含んでもよい。光源部２００は、光を発生して表示パネル１００に提供する。
【０２８４】
第１光源２１０は、第１主要色及び第２主要色の混合色の光を発生する。本実施形態において、第１主要色は赤色であり、第２主要色は緑色であるので、混合色は黄色（ｙｅｌｌｏｗ）である。これとは異なり、混合色はマゼンタ（ｍａｇｅｎｔａ）であってもよい。さらに、これとは異なり、混合色はシアン（ｃｙａｎ）であってもよい。さらに、これとは異なり、第１光源２１０は白色光を発生してもよい。第２光源２２０は、第３主要色の光を発生する。
【０２８５】
光源駆動部４００は、光源部２００に接続されて光源部２００を駆動する。光源駆動部４００は、第１光源２１０及び第２光源２２０のうち少なくとも１つを繰り返してターンオン及びターンオフさせる。
【０２８６】
本実施形態において、光源駆動部４００は、第２光源２２０は常時ターンオンさせ、第１光源２２０は繰り返しターンオン及びターンオフさせることができる。
【０２８７】
本実施形態において、第１サブフレームに第１光源２１０及び第２光源２１０がターンオンされ、第２サブフレームに第１光源２１０はターンオフされ、第２光源２２０がターンオンされる。
【０２８８】
パネル駆動部３００は、第１及び第２サブピクセルＲ、Ｇ、及び透明サブピクセルＴの階調データを設定するサブピクセルレンダリングを遂行する。
【０２８９】
例えば、表示パネル１００がホワイト１００階調を表現しようとする場合、第１サブフレームに、パネル駆動部３００は第１主要色の階調データを５０階調、第２主要色の階調データを５０階調に設定することができる。第１光源２１０は５０階調に対応する混合光を発生し、第２光源２２０は５０階調に対応する第３主要色の光を発生し、透明サブピクセルＴは第１光源２１０及び第２光源２２０の光を通過させる。
【０２９０】
第２サブフレームに、パネル駆動部３００は、第１主要色の階調データを０階調、第２主要色の階調データを０階調に設定することができる。第２光源２２０は５０階調に対応する第３主要色の光を発生し、透明サブピクセルＴは第２光源２２０の光を通過させる。
【０２９１】
本実施形態によると、表示パネル１００は赤色、緑色及び透明サブピクセルＲ、Ｇ、Ｔを含み、光源部２００は繰り返してターンオン及びターンオフされる黄色光源ＹＬを含むので、表示装置の消費電力を減少させることができる。
【０２９２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【０２９３】
以上、説明した通り、本発明に係る表示装置及びその駆動方法によれば、表示パネルは主要色を含むサブピクセル及び透明サブピクセルを含み、光源部は表示パネルに含まれていない主要色光源を含むので、消費電力を減少させることができる。また、表示品質を向上させることができる。
【符号の説明】
【０２９４】
１００    表示パネル
１１０    第１基板
１２０    第２基板
１３０    液晶層
２００    光源部
２１０    第１光源
２２０    第２光源
２３０    導光板
３００    パネル駆動部
４００    光源駆動部
【図１】
2014109779.tif 000003
【図２】
2014109779.tif 000004
【図３】
2014109779.tif 000005
【図４】
2014109779.tif 000006
【図５】
2014109779.tif 000007
【図６】
2014109779.tif 000008
【図７】
2014109779.tif 000009
【図８】
2014109779.tif 000010
【図９】
2014109779.tif 000011
【図１０】
2014109779.tif 000012
【図１１】
2014109779.tif 000013
【図１２】
2014109779.tif 000014
【図１３】
2014109779.tif 000015
【図１４】
2014109779.tif 000016
【図１５】
2014109779.tif 000017
【図１６】
2014109779.tif 000018
【図１７】
2014109779.tif 000019
【図１８】
2014109779.tif 000020
【図１９】
2014109779.tif 000021
【図２０】
2014109779.tif 000022
【図２１】
2014109779.tif 000023
【図２２】
2014109779.tif 000024
【図２３】
2014109779.tif 000025
【図２４】
2014109779.tif 000026
【図２５】
2014109779.tif 000027
【図２６】
2014109779.tif 000028
【図２７】
2014109779.tif 000029
【図２８】
2014109779.tif 000030
【図２９】
2014109779.tif 000031
【図３０】
2014109779.tif 000032
【図３１】
2014109779.tif 000033
【図３２】
2014109779.tif 000034
【図３３】
2014109779.tif 000035
【図３４】
2014109779.tif 000036
【図３５】
2014109779.tif 000037
【図３６】
2014109779.tif 000038
【図３７】
2014109779.tif 000039
【図３８】
2014109779.tif 000040
【図３９】
2014109779.tif 000041